(57)【要約】【課題】感熱転写記録用色素に要求される条件、特に記録物の色相、色濃度、及び耐光性の条件を満たす感熱転写記録用色素、並びにこれを用いた感熱転写記録用インク、及び感熱転写記録用シートを提供する。【解決手段】下記一般式（Ｉ）で示される感熱転写記録用イソチアゾールアゾ系色素。【化１】2004345270.tif 000016（式中、Ｒ１は水素原子、置換基を有していてもよいアルキル基又は置換基を有していてもよいアリール基を表し、Ｒ２は置換基を有していてもよいアシル基又は置換基を有していてもよいアルキルスルホニル基を表し、Ｒ３及びＲ４はそれぞれ独立してアルキル基、アルコキシアルキル基、アルコキシ基、アリール基、アリールオキシ基又はトリフルオロメチル基を表す。ｍ，ｎはそれぞれ独立して１〜３の整数を表す。）【選択図】  なし【特許請求の範囲】
【請求項１】
下記一般式（Ｉ）で示される感熱転写記録用イソチアゾールアゾ系色素。
【化１】
2004345270.tif 000015
（式中、Ｒ１は水素原子、置換基を有していてもよいアルキル基又は置換基を有していてもよいアリール基を表し、Ｒ２は置換基を有していてもよいアシル基又は置換基を有していてもよいアルキルスルホニル基を表し、Ｒ３及びＲ４はそれぞれ独立してアルキル基、アルコキシアルキル基、アルコキシ基、アリール基、アリールオキシ基又はトリフルオロメチル基を表す。ｍ，ｎはそれぞれ独立して１〜３の整数を表す。）
【請求項２】
Ｒ１が、炭素数１〜４のアルキル基であることを特徴とする請求項１記載の感熱転写記録用イソチアゾールアゾ系色素。
【請求項３】
Ｒ２が、炭素数２〜５のアルキルカルボニル基、炭素数２〜５のアルキルスルホニル基又はベンゾイル基であることを特徴とする請求項１又は２記載の感熱転写記録用イソチアゾールアゾ系色素。
【請求項４】
Ｒ３及びＲ４が、それぞれ独立して、炭素数１〜４のアルキル基、炭素数２〜７のアルコキシアルキル基、炭素数１〜４のアルコキシ基、フェニル基、フェニルオキシ基又はトリフルオロメチル基であることを特徴とする請求項１乃至３のいずれかに記載の感熱転写記録用イソチアゾールアゾ系色素。
【請求項５】
ｍ及びｎが、共に２であることを特徴とする請求項１乃至４のいずれかに記載の感熱転写記録用イソチアゾールアゾ系色素。
【請求項６】
請求項１乃至５のいずれかに記載の感熱転写記録用イソチアゾールアゾ系色素及び有機溶剤を含有することを特徴とする感熱転写記録用インク。
【請求項７】
基材上に、請求項１乃至５のいずれかに記載の感熱転写記録用イソチアゾールアゾ系色素及び結着剤を含む色材層を有することを特徴とする感熱転写記録用シート。
【発明の詳細な説明】
【０００１】
【発明の属する技術分野】
本発明は、感熱転写記録、特に色素転写型感熱転写記録に使用される色素、並びにそれを用いた感熱転写記録用インク及び感熱転写記録用シートに関するものである。
【０００２】
【従来の技術】
色素転写型感熱転写記録は、ベースフィルム上に熱移行性の色素を含む色材層を有する感熱転写記録用シートと色素受容層を表面に有する受像シートとを重ね合わせ、感熱転写記録用シートを加熱して感熱転写記録用シート中の色素を受像シートに転写することにより記録を行うものである。この記録方法は、加熱エネルギーの大きさで色素の転写量を制御することにより、階調表現を容易に行うことができるため、ビデオプリンターなどのフルカラー画像記録用に用いられている。
【０００３】
このような色素転写型感熱転写記録においては、感熱転写記録用シートに用いられる色素が、転写記録のスピード、記録物の画質、保存安定性などに大きな影響を与えることが知られている。したがって、色素転写型感熱転写記録に用いられる色素は、以下のような条件を満たすことが必要である。
▲１▼  熱記録ヘッドの作動条件で容易に昇華及び／又は熱拡散すること。
▲２▼  熱記録ヘッドの作動条件で熱分解しないこと。
▲３▼  色再現上、好ましい色相を有すること。
▲４▼  分子吸光係数が大きいこと。
▲５▼  熱、光、湿気、薬品などに対して安定であること。
▲６▼  合成が容易であること。
▲７▼  インク化適性が優れていること。
▲８▼  安全性上問題のないこと。  感熱転写記録に用いられるマゼンタ系色素としては、イソチアゾールアゾ系マゼンタ色素が広く用いられており、特許文献１〜３には種々の色素転写型の感熱転写記録用イソチアゾールアゾ系色素が記載されている。
【０００４】
例えば、特許文献１には、下記構造式で表される色素が具体的に開示されている。
【０００５】
【化２】
2004345270.tif 000002
【０００６】
また、特許文献２には、下記構造式の色素が具体的に開示されている。
【０００７】
【化３】
2004345270.tif 000003
【０００８】
更に、特許文献３には、下記構造式の色素が具体的に開示されている。
【０００９】
【化４】
2004345270.tif 000004
【００１０】
ところで、近年、更に記録物の転写濃度や耐光性などに優れる色素が要求されるようになってきた。しかしながら、特許文献１〜３に具体的に記載されている色素又は色素混合物ではいずれもこれらの要求を満たすことができず、より優れた性質を有する感熱転写記録用色素、特に、色相及び色濃度に優れ、耐光性の良好な色素の出現が望まれている。
【００１１】
【特許文献１】
特開昭６２−５５１９４号公報
【特許文献２】
特開昭６２−２９４５９３号公報
【特許文献３】
特開平４−１４８９８７号公報
【００１２】
【発明が解決しようとする課題】
したがって、本発明は、感熱転写記録用色素に要求される前記条件、特に記録物の色相、色濃度、及び耐光性の条件を満たす感熱転写記録用色素、並びにこれを用いた感熱転写記録用インク、及び感熱転写記録用シートを提供することを課題とする。
【００１３】
【課題を解決するための手段】
本発明者は、鋭意検討した結果、イソチアゾールアゾ系化合物の２つの環の特定の位置に置換基を有し、アゾ基のｐ位のジアルキルアミノ基の両方のジアルキル基がアシルオキシ基で置換された構造の色素を用いることにより上記課題が解決されることを見出し、本発明を完成した。  すなわち、本発明は、下記一般式（Ｉ）
【００１４】
【化５】
2004345270.tif 000005
【００１５】
（式中、Ｒ１は水素原子、置換基を有していてもよいアルキル基又は置換基を有していてもよいアリール基を表し、Ｒ２は置換基を有していてもよいアシル基又は置換基を有していてもよいアルキルスルホニル基を表し、Ｒ３及びＲ４はそれぞれ独立してアルキル基、アルコキシアルキル基、アルコキシ基、アリール基、アリールオキシ基又はトリフルオロメチル基を表す。ｍ，ｎはそれぞれ独立して１〜３の整数を表す。）
で示される感熱転写記録用イソチアゾールアゾ系色素、並びにそれを用いた感熱転写記録用インク及び感熱転写記録用シート、に存する。
【００１６】
【発明の実施の形態】
本発明に係る色素は、前記一般式（Ｉ）で表されるものである。
本発明の色素は、アゾ基のｐ位のジアルキルアミノ基に２つのアシルオキシ基を置換させた点を特徴とするものであり、Ｒ１、Ｒ２、Ｒ３及びＲ４としては、公知のイソチアゾールアゾ系色素において知られている置換基の範囲のものを用いることができる。なお、Ｒ１又はＲ２が有していてもよい置換基は、いずれも本発明の目的とする効果を損なわないものである。
【００１７】
Ｒ１のアルキル基としては、例えば、メチル基、エチル基、ｎ−プロピル基、イソプロピル基、ｎ−ブチル基、イソブチル基、ｔ−ブチル基、ｎ−ヘキシル基、ｎ−オクチル基、２−エチルヘキシル基等の炭素数１〜１２の直鎖状もしくは分岐鎖状のアルキル基が挙げられる。
【００１８】
アルキル基が有していてもよい置換基としては、ハロゲン原子、アルコキシ基、アリール基、シアノ基、アリールオキシ基、アルコキシカルボニル基、アリールオキシカルボニル基、アシルオキシ基等が挙げられる。すなわち、置換基を有するアルキル基としては、例えば、２−エトキシエチル基、２−ｎ−プロポキシエチル基、２−ｎ−ブトキシエチル基、４−イソプロピルオキシブチル基、３−イソブチルオキシプロピル基等のアルコキシアルキル基；２−クロロエチル基、４−クロロブチル基、トリフルオロメチル基等のハロゲン化アルキル基；シアノエチル基等のシアノアルキル基；ベンジル基、２−フェニルエチル基、ｐ−クロロベンジル基等のアラルキル基；フェノキシメチル基、２−フェノキシエチル基、４−フェノキシブチル基等のアリールオキシアルキル基；２−メトキシカルボニルエチル基、３−ｎ−ブトキシカルボニルプロピル基等のアルコキシカルボニルアルキル基；２−アリルオキシカルボニルエチル基等のアルケニルオキシカルボニルアルキル基；２−フェノキシカルボニルエチル基、４−ｐ−クロロフェノキシカルボニルブチル基等のアリールオキシカルボニルアルキル基；２−ベンジルオキシエチル基、４−ベンジルオキシブチル基等のアラルキルオキシアルキル基；２−アセトキシエチル基、２−ベンゾイルオキシエチル基、４−アセトキシブチル基等のアシルオキシアルキル基などが挙げられる。
【００１９】
アリール基としては、炭素数１〜８の直鎖状もしくは分岐鎖状のアルキル基；フッ素原子、塩素原子、臭素原子等のハロゲン原子；炭素数１〜４のフルオロアルキル基；及び炭素数１〜８の直鎖状もしくは分岐鎖状のアルコキシ基等からなる群より選ばれる置換基で置換されていてもよいフェニル基が挙げられる。
これらのＲ１のうち、炭素数１〜４のアルキル基、特にメチル基が好ましい。
【００２０】
Ｒ２のアシル基としては、例えば、アセチル基、プロピオニル基、ブチリル基、イソブチリル基、バレリル基、イソバレリル基、ピバロイル基、ｎ−ヘキシルカルボニル基、ｎ−オクチルカルボニル基、２−エチルヘキシルカルボニル基等の炭素数２〜１３の直鎖状もしくは分岐鎖状のアルキルカルボニル基又はベンゾイル基等の炭素数１２以下のアリールカルボニル基が挙げられる。アシル基が有していてもよい置換基としては、ハロゲン原子、アルコキシ基、アリール基、シアノ基、アリールオキシ基、アルコキシカルボニル基、アリールオキシカルボニル基、アシルオキシ基等が挙げられる。なお、アシル基がベンゾイル基の場合には、上記置換基の他、直鎖状もしくは分岐鎖状のアルキル基；フルオロアルキル基で置換されていてもよい。
【００２１】
アルキルスルホニル基としては、例えば、メチルスルホニル基、エチルスルホニル基、ｎ−プロピルスルホニル基、イソプロピルスルホニル基、ｎ−ブチルスルホニル基、イソブチルスルホニル基、ｔ−ブチルスルホニル基、ｎ−ヘキシルスルホニル基、ｎ−オクチルスルホニル基、２−エチルヘキシルスルホニル基等の炭素数１〜１２の直鎖状もしくは分岐鎖状のアルキルスルホニル基が挙げられる。アルキルスルホニル基が有していてもよい置換基としては、ハロゲン原子、アルコキシ基、アリール基、シアノ基、アリールオキシ基、アルコキシカルボニル基、アリールオキシカルボニル基、アシルオキシ基等が挙げられる。
これらのＲ２のうち、炭素数２〜５のアルキルカルボニル基、ベンゾイル基又は炭素数１〜４のアルキルスルホニル基、特に、アセチル基、プロピオニル基、トリフルオロメチルカルボニル基、ベンゾイル基又はメチルスルホニル基が好ましい。
【００２２】
Ｒ３及びＲ４のアルキル基としては、例えば、メチル基、エチル基、ｎ−プロピル基、イソプロピル基、ｎ−ブチル基、イソブチル基、ｔ−ブチル基、ｎ−ヘキシル基、ｎ−オクチル基、２−エチルヘキシル基等の炭素数１〜１２のアルキル基が挙げられる。
【００２３】
アルコキシアルキル基としては、例えば、２−エトキシエチル基、２−ｎ−プロポキシエチル基、２−ｎ−ブトキシエチル基、４−イソプロピルオキシブチル基、３−イソブチルオキシプロピル基等の炭素数２〜１３のアルコキシアルキル基が挙げられる。
アルコキシ基としては、例えば、メトキシ基、エトキシ基、ｎ−プロポキシ基、イソプロピルオキシ基、ｎ−ブトキシ基、イソブチルオキシ基、ｔ−ブトキシ基、ｎ−ヘキシルオキシ基、ｎ−オクチルオキシ基、２−エチルヘキシルオキシ基等の炭素数１〜１２のアルコキシ基が挙げられる。
【００２４】
アリール基としては、例えば、炭素数１〜８の直鎖状もしくは分岐鎖状のアルキル基；フッ素原子、塩素原子、臭素原子等のハロゲン原子；炭素数１〜４のフルオロアルキル基；及び炭素数１〜８の直鎖状もしくは分岐鎖状のアルコキシ基等からなる群より選ばれる置換基を有していてもよいフェニル基が挙げられる。
アリールオキシ基としては、炭素数１〜８の直鎖状もしくは分岐鎖状のアルキル基；フッ素原子、塩素原子、臭素原子等のハロゲン原子；炭素数１〜４のフルオロアルキル基；及び炭素数１〜８の直鎖状もしくは分岐鎖状のアルコキシ基等からなる群より選ばれる置換基を有していてもよいフェノキシ基が挙げられる。
【００２５】
これらのＲ３及びＲ４のうち、炭素数１〜４のアルキル基、炭素数２〜７のアルコキシアルキル基、炭素数１〜４のアルコキシ基、フェニル基、フェノキシ基又はトリフルオロメチル基等、特に炭素数２〜４のアルキル基又は炭素数１〜４のアルコキシ基が好ましい。
ｍ，ｎとしては、いずれも２であるのが好ましい。
【００２６】
本発明の色素は、その色素の最大吸収波長（λｍａｘ）が５００〜６００ｎｍであり、マゼンタ系の色調を示し、色濃度に優れ、かつ耐光性が良好な色素である。本発明の効果を十分に発現させるためには、分子量が、通常８００以下、特に７００以下、とりわけ４５０〜６００である色素を用いるのが好ましい。したがって、本発明で使用されるイソチアゾールアゾ系色素としては、Ｒ１がメチル基を表し、Ｒ２がアセチル基、ベンゾイル基又はメチルスルホニル基を表し、Ｒ３及びＲ４がそれぞれ独立してエチル基、ｎープロピル基、イソプロピル基、トリフルオロメチル基、メトキシ基、エトキシ基、ｎ−プロポキシ基、イソプロピルオキシ基、メトキシエチル基又はエトキシエチル基を表し、ｍ及びｎが２を表すものが特に好ましい。
【００２７】
本発明の一般式（Ｉ）で表される色素の製造方法としては、常法に従い、下記一般式（ＩＩ）で表されるアミノイソチアゾール化合物をジアゾ化し、次いで下記一般式（ＩＩＩ）とカップリングさせることにより方法が挙げられる（特許文献１〜３参照）。
【００２８】
【化６】
2004345270.tif 000006
【００２９】
（式中、Ｒ１は一般式（Ｉ）と同じ意味を表す。）
【００３０】
【化７】
2004345270.tif 000007
【００３１】
（式中、Ｒ２、Ｒ３、Ｒ４、ｍ及びｎは一般式（Ｉ）と同じ意味を表す。）
本発明に係る色素のいくつかを表１に例示するが、本発明はこれらに限定されるものではない。
【００３２】
【表１】
2004345270.tif 000008
【００３３】
本発明の色素を用いて感熱転写記録用インクを調製するには、常法に従い、色素を適当な媒体に結着剤と共に溶解又は分散すればよい。
媒体としては、メチルアルコール、エチルアルコール、イソプロピルアルコール、イソブチルアルコールなどのアルコール類；メチルセロソルブ、エチルセロソルブなどのセロソルブ類；トルエン、キシレン、クロロベンゼンなどの芳香族類；酢酸エチル、酢酸ブチルなどのエステル類；アセトン、メチルエチルケトン、メチルイソブチルケトン、シクロヘキサノンなどのケトン類；塩化メチレン、クロロホルム、トリクロロエチレンなどの塩素系溶剤；テトラヒドロフラン、ジオキサンなどのエーテル類；Ｎ，Ｎージメチルホルムアミド、Ｎ−メチルピロリドンなどの極性溶剤等の有機溶剤及び水を挙げることができる。これらの溶剤は１種を単独で用いても、２種以上を混合して用いてもよい。インク中に、色素が０．５〜２０重量％、特に１〜１５重量％、とりわけ２〜１５重量％となるように用いるのが好ましい。感熱転写記録用インクは、本発明の効果を妨げない範囲で、他の色素とを混合したものを上記媒体に溶解又は分散させることにより調製してもよい。
【００３４】
結着剤としては、セルロース系、アクリル酸系、澱粉系、エポキシ系などの水溶性樹脂；アクリル樹脂、メタクリル樹脂、ポリスチレン、ポリカーボネート、ポリエーテルスルホン、ポリビニルブチラール、エチルセルロース、アセチルセルロース、ポリエステル、ＡＳ樹脂、フェノキシ樹脂などの有機溶剤に可溶性の樹脂が挙げられる。これらの結着剤は単独で用いても、２種以上を混合して用いてもよい。感熱転写記録用インク中の結着剤：色素の比率が、重量比で１：２〜２：１となるように用いるのが好ましい。
【００３５】
また、本発明の感熱転写記録用インクには、必要に応じて有機、無機の非昇華性微粒子、分散剤、帯電防止剤、消泡剤、酸化防止剤、粘度調製剤などの添加剤を添加することもできる。インク中に含まれるこれら添加剤の上限値は、通常５重量％以下であり、３重量％以下が好ましい。また、添加剤の下限値は、通常０．０１重量％以上であり、０．５重量％以上が好ましい。
【００３６】
感熱転写記録用シートを調製するには、常法に従って、この感熱転写記録用インクを基材上に塗布し乾燥することにより、基材上に色材層を形成させればよい。
基材となるベースフィルムとしては、例えば、コンデンサー紙、グラシン紙のような薄葉紙；ポリエステル、ポリカーボネート、ポリアミド、ポリイミド、ポリアラミドのような耐熱性の良好なプラスチックのフィルムが挙げられる。ベースフィルムの厚さとしては、３〜５０μｍが好ましい。これらのベースフィルムのうち、ポリエチレンテレフタレートフィルムが、機械的強度、耐溶剤性、経済性などから好ましい。
【００３７】
感熱転写記録用インクは、例えばグラビアコーター、リバースロールコーター、ロッドコーター、エアドクタコーター等を使用して、上記ベースフィルムへ塗布すればよい。インクは、色材層の乾燥後の厚さが０．１〜５μｍの範囲となるように塗布するのが好ましい。
本発明の感熱転写シートの加熱手段としては、通常、サーマルヘッド、赤外線、レーザー光などが用いられる。また、ベースフィルムそのものに電気を流すことによって発熱する通電発熱フィルムを用いて、通電型染料転写シートとして用いることもできる。
【００３８】
なお、ポリエチレンテレフタレートフィルムを用いて作製した感熱転写シートをサーマルヘッドで加熱すると、サーマルヘッドの走行性が不十分となることがある。このような場合には、色材層の反対面にアミノ変性シリコーン化合物、カルボキシ変性シリコーン化合物等の変性シリコーン化合物などの潤滑剤；シリカ等の滑性の高い耐熱性微粒子；界面活性剤；アクリル系樹脂等の結着剤などを含む耐熱性樹脂層等を、適宜、設けることにより、サーマルヘッドの走行性を改良することができる。この耐熱性樹脂層の厚みとしては、０．１〜５０μｍが好ましい。
【００３９】
本発明によれば、カラー画像の色再現上、マゼンタ色として好ましい色濃度、すなわち、得られた記録物を分光測色計で測定した場合の色濃度１．５以上を達成することができる。また、得られた記録物は耐光性試験の前後で行ったＣＩＥＬＡＢ色差が１０以下という優れた耐光性を達成することができる。
【００４０】
【実施例】
以下に実施例及び比較例を挙げて本発明をより具体的に説明するが、本発明はその要旨を超えない限り、以下の実施例に限定されるものではない。なお、色濃度、色相及び耐光性は以下により測定した。
（色濃度）
感熱転写記録用シートをデジタルカラープリンタ（「Ｐ−３３０Ｎ」、オリンパス光学工業社製）の専用プリントパックオーバーコートセットＰ−６０ＮＯＣのインクリボンとつなぎ合わせ、Ｐ−６０ＮＯＣ記録紙にデジタルカラープリンタで階調画像を記録し、記録物の最高印字濃度の色濃度を分光測色計（「ＳＰＭ−５０」、グレタグ社製）を用いて測定した。
（色相）
色濃度約１．０の記録物について、Ｄ５０光源を用いて２度視野角に設定し測定したａ＊値が５５以上であり、かつ、ｂ＊値が０以下であるものは○とし、上記○の範囲外ではあるが、ａ＊値が５０以上、かつ、ｂ＊値が５以下に入っているものを△とした。
（耐光性）
この記録物（色濃度約１．０のもの）について、キセノンウエザオメーター（「Ｃｉ４０００」、アトラス社製）を用いて８０時間耐光性試験を実施し（ブラックパネル温度：５８±３℃）、試験前後の記録物のＣＩＥＬＡＢ色差（△Ｅ）を測定した。
【００４１】
実施例１
（ａ）色素の合成例
下記式で示されるアミノイソチアゾール誘導体（ＶＩ）２．６４ｇ、酢酸１９ｍＬ及び８５％硫酸水溶液１７ｍＬの混合液に、０〜５℃で、ニトロシル硫酸の４３．０％硫酸溶液５．８９ｇを滴下し、同温度で２時間撹拌してジアゾ化液を調製した。下記式で示されるアセトアニリド化合物（ＶＩＩ）７．１９ｇ、水１６０ｍＬ及び濃塩酸７．４ｍＬの混合液に、０〜５℃で、スルファミン酸０．３７ｇを添加した後、上記ジアゾ化液を滴下した。次いで、液温を０〜５℃に保ちながら２０％水酸化ナトリウム水溶液をゆっくりと滴下して反応液を中和し、同温度で１時間撹拌して析出した結晶を濾別し、水洗した。得られた結晶を乾燥した後、カラムクロマトグラフィーで精製し、表１のＮｏ．４の色素４．１ｇを得た。このものはマススペクトルでｍ／ｚ５２８のピークを有していた。融点は１１２．５℃であり、アセトン中での吸収スペクトル測定でλｍａｘ５３７ｎｍ、分子吸光係数５７０００を示した。
【００４２】
【化８】
2004345270.tif 000009
【００４３】
【化９】
2004345270.tif 000010
【００４４】
（ｂ）インクの調製例
（ａ）の色素６．０重量部、フェノキシ樹脂（「ＰＫＨＪ」、ユニオンカーバイド社製）１０重量部、及びテトラヒドロフラン９０重量部を混合し、超音波洗浄機で３０分間処理して感熱転写記録用インクを調製した。
（ｃ）感熱転写記録用シートの作製例
（ｂ）の感熱転写記録用インクを、ワイヤバーを用いてポリエチレンテレフタレートフィルム（６μｍ厚）上に塗布し、乾燥することにより乾燥膜厚約１μｍの色材層を形成させた。次いで、このポリエチレンテレフタレートフィルムの背面にアクリル樹脂（「ＢＲ−８０」、三菱レイヨン社製）１０重量部、アミノ変性シリコーンオイル（「ＫＦ３９３」、信越化学工業社製）１重量部、及びトルエン８９重量部からなる液を塗布し、乾燥して乾燥膜厚約１μｍの耐熱性樹脂層を形成させて感熱転写シートを作製した。
得られた感熱転写シートを用いて記録した記録物について、色相、色濃度及び耐光性を評価した。結果を表２に示す。
【００４５】
実施例２〜３
実施例１において、表１の色素４に代えて、表１の色素１、２を用いた以外は実施例１と同様にして、感熱転写記録用インク及び感熱転写記録用シートを製造した。評価結果を表２に示した。
【００４６】
比較例１〜３
実施例１において、表１の色素４に代えて、下記構造式で表される色素Ａ（特許文献１の染料２７）、色素Ｂ（特許文献２の実施例１の化合物３）及び色素Ｃ（特許文献３の色素Ｎｏ．１）を用いた以外は実施例１と同様にして、感熱転写記録用インク及び感熱転写記録用シートを製造した。評価結果を表２に示す。
【００４７】
【化１０】
2004345270.tif 000011
【００４８】
【化１１】
2004345270.tif 000012
【００４９】
【化１２】
2004345270.tif 000013
【００５０】
【表２】
2004345270.tif 000014
【００５１】
実施例４
実施例１において、（ｂ）の感熱転写記録用インクに代えて、（ａ）の色素６．０重量部、ＡＳ樹脂（「デンカＡＳ−Ｓ」、電気化学工業社製）１０重量部、トルエン７０重量部及びテトラヒドロフラン１０重量部を混合し、超音波洗浄機で３０分間処理して調製したインクを用いた以外は実施例１と同様にして、感熱転写記録用シートを作製した。上記の方法により、記録物の色相、色濃度及び耐光性を評価したところ、いずれも良好であった。
【００５２】
【発明の効果】
以上詳述した通り、本発明によれば、感熱転写記録用色素に要求されるすべての特性において総合的に優れた性能を有し、しかも感度が高く、記録濃度が高く、記録物の色調が鮮明で、記録物の安定性が高い感熱転写記録用色素、並びにそれを用いた感熱転写記録用インク及び感熱転写記録用シートが提供される。